(57)【要約】【課題】ユーザが、複数のプレイリストの中から任意のプレイリストの内容を短時間に正確に把握することを可能とするオーディオ装置を提供すること。【解決手段】プレイリストに対応して設定されたテーマ曲に関する情報を保存するリスト付加情報保存装置７を備え、全体制御装置１２は、ユーザが、ユーザインターフェイス装置８によりプレイリストの選択時に、プレイリスト再生処理の実行前に、リスト付加情報保存装置７において、選択されたプレイリストに対応して保存されたテーマ曲情報に基づいて、あらかじめ設定された時間だけテーマ曲を再生させるテーマ曲再生処理を実行する車載オーディオ装置Ａとした。【選択図】図１
2008084401.tif 000002
【特許請求の範囲】
【請求項１】
複数の楽曲データが保存された保存手段と、
この保存手段に記憶された複数の楽曲データの、再生順序のリストであるプレイリストに関する情報を保存するリスト情報保存手段と、
前記複数のプレイリストのうちで任意のプレイリストの選択操作用のリスト選択操作部と、
このリスト選択操作部で選択されたプレイリストに従って前記楽曲データを順に再生するプレイリスト再生処理を実行する制御手段と、
を備えたオーディオ装置であって、
各プレイリストに対応して設定されたテーマ曲に関する情報を保存するテーマ曲情報保存手段が設けられ、
前記制御手段が、前記リスト選択操作部による前記プレイリストの選択時には、前記プレイリスト再生処理の実行前に、前記テーマ曲情報保存手段において、前記選択されたプレイリストに対応して設定されたテーマ曲情報に基づいて、あらかじめ設定された時間だけテーマ曲を再生させるテーマ曲再生処理を実行することを特徴とするオーディオ装置。
【請求項２】
前記テーマ曲情報保存手段に保存されたテーマ曲情報に、前記保存手段に記憶されているあらかじめ選択された楽曲データの、保存先情報およびあらかじめ設定された再生開始時間が含まれていることを特徴とする請求項１に記載のオーディオ装置。
【請求項３】
前記制御手段は、前記選択された楽曲データの保存先情報およびあらかじめ設定された再生開始時間として、前記プレイリストの１曲目に登録された楽曲データの、保存先情報および再生始点（時間００：００）を保存するテーマ曲情報保存処理を実行することを特徴とする請求項２に記載のオーディオ装置。
【請求項４】
前記制御手段は、前記テーマ曲情報としての前記保存先情報と再生開始時間の少なくとも一方を変更するテーマ曲情報書換処理を実行することを特徴とする請求項２または請求項３に記載のオーディオ装置。
【請求項５】
前記テーマ曲情報保存手段に保存されたテーマ曲情報に、前記あらかじめ選択された楽曲データの一部の再生可能な音響データが含まれていることを特徴とする請求項１〜請求項４のいずれか１項に記載のオーディオ装置。
【請求項６】
再生中の出力を、再生可能な音響データとして一時的に保存可能な音情報一時保存手段と、テーマ曲の保存操作用のテーマ曲保存操作手段と、を備え、
前記制御手段は、前記テーマ曲保存操作手段の操作が成されたときには、前記音情報一時保存手段に一時保存された音響データを、前記テーマ曲情報保存手段に保存された音響データとするテーマ曲保存処理を実行することを特徴とする請求項５に記載のオーディオ装置。
【請求項７】
請求項１に記載の前記テーマ曲再生処理を実行するためのプログラムを記憶したコンピュータ読取可能な記録媒体。
【発明の詳細な説明】
【技術分野】
【０００１】
本発明は、楽曲データの再生順序リスト（以下、これをプレイリストという）を作成し、このプレイリストの順序に従って、記憶媒体に記憶された楽曲データを順に再生する機能を有したオーディオ装置およびこのオーディオ装置作動用のプログラムを記憶したコンピュータ読取可能な記録媒体に関する。
【背景技術】
【０００２】
近年の車載オーディオとして、ハードディスクやフラッシュメモリといった大容量の記憶媒体を有しており、ＣＤなどの音源の楽曲データを、圧縮手段（例えば、ＭＰ３、ＷＭＡ、ＡＡＣ、ＡＴＲＡＣ３などの手法）を用いてデータ圧縮し記憶媒体に保存することで、膨大な曲数の楽曲データが記憶できるものが知られている。
【０００３】
そこで、このような大容量の記憶媒体に記憶された楽曲データを再生するのにあたり、全曲を順番に再生するのではなく、運転コースや走行時間あるいはユーザの嗜好などに応じて楽曲データを選択した集合体であるプレイリストをあらかじめ設定しておき、このプレイリストに従って楽曲データを再生する車載オーディオ装置が知られている。
【０００４】
また、プレイリストの作成の手法も種々提案されている。
例えば、ユーザが事前にプレイリストに曲を登録する手法や、ユーザが入力した大まかな情報に基づいて、記憶されている楽曲のデータを解析して条件と一致したものをプレイリストとして自動的に登録する手法などが知られている（例えば、特許文献１参照）。
【特許文献１】特開２００５−２８５２８５号公報参照
【発明の開示】
【発明が解決しようとする課題】
【０００５】
上述のように、近年、車載オーディオ装置は、大量の楽曲データを保存可能であるとともに、複数のプレイリストも作成可能となっている。
しかしながら、設定プレイリスト数が多くなった場合、ユーザが、複数のプレイリストの中から任意のプレイリストを的確に選択することが難しくなるという問題がある。例えば、プレイリストを単なる番号で表示した場合、どの番号がどのような内容のプレイリストであるか把握するのが難しい。
【０００６】
本発明は、上述の問題点に着目してなされたもので、ユーザが、複数のプレイリストの中から任意のプレイリストの内容を短時間に正確に把握することを可能とするオーディオ装置を提供することを目的としている。
【課題を解決するための手段】
【０００７】
上述の目的を達成するために、本発明では、リスト選択操作部によりプレイリストの選択を行った時に、制御手段が、プレイリスト再生処理の実行前に、テーマ曲情報保存手段において、選択されたプレイリストに対応して設定されたテーマ曲情報に基づいて、あらかじめ設定された時間だけテーマ曲を再生させるテーマ曲再生処理を実行するオーディオ装置とした。
【発明の効果】
【０００８】
本発明では、あらかじめ各プレイリストに対応して設定されたテーマ曲をテーマ曲情報保存手段に保存しておき、ユーザが、プレイリストを選択した際には、そのプレイリストに応じたテーマ曲を再生させるようにした。
【０００９】
したがって、ユーザは、テーマ曲を聴いて、選択したプレイリストの内容を直感的に短時間で正確に把握することが可能となる。
このように、本発明では、ユーザが、複数のプレイリストに対応する表示を目視して確認するのに比べて、設定プレイリスト数が多くなった場合でも、プレイリストの内容を短時間に正確に把握することが可能となる。
【発明を実施するための最良の形態】
【００１０】
以下、本発明の車載オーディオ装置を実現する最良の形態を、図面に示す実施例に基づいて説明する。
【実施例１】
【００１１】
図１〜図８に基づいて本発明の最良の実施の形態として車両に搭載した実施例１の車載オーディオ装置Ａについて説明する。
【００１２】
まず、実施例１の車載オーディオ装置Ａの構成を説明する。
この実施例１の車載オーディオ装置Ａは、図１に示すように、メディア駆動装置１、内部楽曲保存装置（保存手段）２、外部楽曲保存装置（保存手段）３、楽曲検索用情報保存装置４、楽曲再生装置５、リスト情報保存装置６、リスト付加情報保存装置（テーマ曲情報保存手段）７、ユーザインターフェイス装置（リスト選択操作部）８、ディスプレイ装置９、放送データ再生装置１０、音情報一時保存装置１１、全体制御装置（制御手段）１２を備えている。
【００１３】
メディア駆動装置１は、車両外から持ち込んだ磁気記憶媒体であるカセットテープを駆動することや、光学的な記憶媒体であるＣＤ，ＭＤ，ＤＶＤなどを駆動すると同時に、それらの媒体に保存された楽曲データを再生することができる情報に変換する機能を有している。なお、前記媒体は、楽曲データをアナログディジタル変化したＰＣＭデータ（本願でいう音響データに相当するものでPulse Code Modulationの略である）を保存しているものが知られているが、保存量を増やすために情報量を圧縮した上で保存しているものも含まれる。
そこで、メディア駆動装置１は、このように圧縮されたデータも直接音響情報として扱うことができるように、それぞれの圧縮方法に準拠した方法にて圧縮を解除しＰＣＭデータとして出力する機能を持っているものとする。さらに、それぞれの楽曲データに付加的に加えられている各種情報（例えば、親ファイル名、フォルダ名、タイトル名、アーティスト名、ジャンル名など）が存在する場合には、これらの情報を楽曲データのメタデータとして、楽曲検索用情報保存装置４に保存する機能を有している。
【００１４】
内部楽曲保存装置２は、本実施例１では、書換可能な磁気記憶媒体であるハードディスクで構成されている。この内部楽曲保存装置２は、車載オーディオ装置Ａに固定されているとする。
また、この内部楽曲保存装置２は、ユーザが車外から持ち込んだ楽曲データを含む記憶媒体を、メディア駆動装置１において再生した上で、データの圧縮、もしくは、データの移動という形で、内部楽曲保存装置２に保存可能に構成されている。この場合、楽曲データを、直接再生可能なＰＣＭデータのまま保存することも可能であるが、本実施例１では、楽曲データを再度適当な圧縮技術を用いて圧縮保存するよう構成されている。
【００１５】
外部楽曲保存装置３は、車載オーディオ装置Ａに接続するインターフェイスを持った楽曲保存装置であり、内部楽曲保存装置２と同様に楽曲データが任意の形式で保存されている。なお、この外部部楽曲保存装置３としては、具体的には、図示を省略したＳＤメモリカードやメモリースティック、あるいはＵＳＢ（Universal Serial Bus）による接続が可能な携帯オーディオなどの、車載オーディオ装置Ａへの着脱が可能な記憶媒体で構成される。
【００１６】
楽曲検索用情報保存装置４は、全体制御装置１２の指示により、検索処理実行時に、メディア駆動装置１および両楽曲保存装置２，３に保存された楽曲データの一覧に相当する情報（楽曲データのメタデータと楽曲データのパス情報の一覧）を出力する。なお、パス情報とは、楽曲データの保存先を示すデータである。
【００１７】
楽曲再生装置５は、全体制御装置１２の指示に従い、メディア駆動装置１と両楽曲保存装置２，３に保存されている楽曲データを取得し、その楽曲データをスピーカ装置５１により再生する。
【００１８】
リスト情報保存装置６は、作成された楽曲データの再生順序のリストであるプレイリストに関する情報としてのリスト情報を保存する機能を持っている。なお、このリスト情報とは、プレイリスト毎の楽曲データの保存先情報（パス情報）であって、図５にその一例を示している。この図５に示すように、６個のプレイリスト０１〜０６のそれぞれにおいて、各楽曲データ（リストデータ１〜１００）毎に、パス情報が保存されている。
【００１９】
上述のプレイリストは、種々の手法で作成することができる。
第１の手法は、ユーザ自身がリストを作成する手法である。本実施例１では、ユーザが楽曲データの保存されている場所の情報であるパス情報の一覧をテキスト形式で作成し、これを特定のファイル名として保存しておいて、そのパス情報に書かれた順番で再生することができるものとする。
第２の手法は、再生中の楽曲を随時任意のプレイリストに登録する手法である。すなわち、本実施例１では、車載オーディオ装置Ａが、メディア駆動装置１および両楽曲保存装置２，３に記憶された楽曲データの再生を行っているときに、追加登録指示および加える先のプレイリストの指示を行うと、その時点で、再生されている楽曲のパス情報が、指定されたプレイリストに登録されるようになっている。
【００２０】
第３の手法は、ユーザが、プレイリストの登録条件を設定すると、車載オーディオ装置Ａのプログラムに基づいて、メディア駆動装置１および両楽曲保存装置２，３に記憶されている楽曲データのメタデータなどから、登録条件に合致する楽曲データを選択して、プレイリストを作成する手法である。この手法は、例えば、特許文献１など（特開２００５−２８５２８５号公報などで公知であるので、詳細な説明は省略する。
【００２１】
第４の手法は、ユーザのそれまでの操作内容を内部的に記憶し、その情報を提示し、この提示に基づいてユーザが選択する手法である。すなわち、楽曲データの再生した順番を記憶しておき、最近再生した曲のリストを提示して、これを選択させる手法と、累積再生回数を記録し、これを再生回数が多い順に提示し、これから選択させる手法とを備えているものとする。
【００２２】
リスト付加情報保存装置７は、リスト情報保存装置６に保存された各リストに対応して設定されたテーマ曲に関連した情報であるリスト付加情報（テーマ曲情報）を保存する機能を持っている。このリスト付加情報とは、プレイリストの情報と、このプレイリストの情報に対応してテーマ曲として選択された楽曲データのパス情報と、この楽曲データにおける再生開始時間と、この楽曲の短時間分（１０秒程度）のＰＣＭデータ（音響データ）と、を含むものである。なお、リスト付加情報保存装置７において保存されているＰＣＭデータは、メディア駆動装置１および両楽曲保存装置２，３に保存されている楽曲データから直接得ることのできるＰＣＭデータの他に、後述する音情報一時保存装置１１に保存されたＰＣＭデータが保存される場合もある。
【００２３】
ユーザインターフェイス装置８は、ユーザとのインターフェイスを果たす役割を持っており、具体的には、ディスプレイ装置９に与えられたタッチパネル機能で構成され、ユーザへの視覚情報の提示とユーザの選択とを実行可能としている。例えば、プレイリストの提示の実行時には、プレイリストに対応したボタンを表示し、そのボタンが選択されたときに、全体制御装置１２に対して該当するリストが選択されたことを通知する。
【００２４】
放送データ再生装置１０は、車載オーディオ装置Ａに含まれた放送情報を再生するいわゆるラジオである。
【００２５】
音情報一時保存装置１１は、車載オーディオ装置Ａから出力されるＰＣＭデータを一時的に保存する装置であり、リングバッファから構成されており、常に現時点で再生されている音データから一定時間遡って保持する。したがって、このＰＣＭデータは、メディア駆動装置１、内部楽曲保存装置２、外部楽曲保存装置３のいずれかに保存されているＰＣＭデータである場合もあるし、放送データ再生装置１０により再生されている放送中の音データの場合もある。この音響データとして、本実施例１ではＰＣＭデータを用いているが、音響データは、取得に都合のよい時点のデータを保存すればよいので、ＰＣＭデータ以外にも、スピーカ装置５１から出力される直前のアナログ信号で保存してもよい。
なお、音情報一時保存装置１１へのＰＣＭデータの保存は、全体制御装置１２に指示されたタイミングで行われる。
【００２６】
全体制御装置１２は、上述した各装置１〜１１，５１を制御する。
【００２７】
この全体制御装置１２の制御において実行される処理のうち、まず、プレイリスト作成処理の一例を説明する。
【００２８】
このプレイリストは、内部楽曲保存装置２ならびに外部楽曲保存装置３に保存されている楽曲データの再生順番のリストである。
なお、前述したようにプレイリストの作成手法は、幾つか存在するが、ここでは、再生中の楽曲のデータをプレイリストとして登録する場合を例に挙げて、図２のフローチャートに基づいて説明する。
【００２９】
まず、内部楽曲保存装置２あるいは外部楽曲保存装置３の楽曲再生が実行されると（ステップＳ２１）、ディスプレイ装置９の表示においてプレイリストの登録が選択されたか否か判定し（ステップＳ２２）、非登録選択時には、再生を継続する（ステップＳ２３→Ｓ２１）。
【００３０】
一方、プレイリスト登録が選択されたときには、ユーザインターフェイス装置８が、あらかじめ設定することが可能なリスト数に相当するプレイリスト登録用のボタン（リスト選択操作部）９１〜９６をディスプレイ装置９に表示する（ステップＳ２４）。図３は、この表示の一例を示すもので、この例では、ディスプレイ装置９に、リスト０１〜リスト０６の６種類のボタン９１〜９６が表示されている。
【００３１】
そこで、本実施例１では、再生されている楽曲をプレイリストに登録したい場合は、これらのボタン９１〜９６に関連付けながら仕分る。
すなわち、各ボタン９１〜９６のリスト０１〜０６のそれぞれについて、ユーザが任意の規則性、例えば、「アップテンポの楽曲」、「リラックスできる楽曲」、「海沿いを走るときの音楽」などの規則性を与え、楽曲の再生中にユーザが、この規則性に合致すると認識した場合に、そのボタン９１〜９６を押して登録することで、これらのボタン９１〜９６に関連付けされたプレイリストを作成することができる。
【００３２】
なお、ボタン９１〜９６の数は、図３に示す「６」に限定されるものではなく、１画面で６以上を表示してもよいし、あるいは、表示画面を複数切り替えることを可能としてもよい。
【００３３】
次に、ユーザが、リスト０１〜リスト０６のボタン９１〜９６のいずれかを押した場合（ステップＳ２５）、その時点で再生されている楽曲データのパス情報（保存先情報）を取得し（ステップＳ２６）、この保存先情報が、リスト情報保存装置６において、リスト０１〜０６の選択されたリスト（以下、リスト０１が選択されているものとして説明を行う）に対応するプレイリストに登録される（ステップＳ２７）。
【００３４】
さらに、リスト０１において、１曲目の登録であるか否か判定し（ステップＳ２８）、そのリスト０１において最初の１曲目の登録である場合には、この楽曲をテーマ曲として設定し、そのリスト付加情報を保存する（ステップＳ２９）。
なお、このリスト付加情報は、このリスト０１の１曲目として登録された楽曲データ（テーマ曲）のパス情報と、このテーマ曲の再生開始時間ＴＩＭＥ（このステップＳ２９の処理では、この再生開始時間ＴＩＭＥ＝００：００に設定される）と、この楽曲データの再生開始から短時間（１０秒）分のＰＣＭデータと、が保存される。
【００３５】
このリスト付加情報保存装置７に保存されたリスト付加情報の一例を図４に示す。この図に示すように、各リスト０１〜０６について、テーマ曲のパス情報と、再生開始時間ＴＩＭＥと、ＰＣＭデータとが保存されている。また、再生開始時間ＴＩＭＥは、上記のように初期の設定は、楽曲データの始点である００：００であり、リスト０１は、この初期設定状態を示している。一方、リスト０２では、再生開始時間ＴＩＭＥが、初期設定とは異なる０１：２４に設定されているが、この設定の書換処理については後述する。
【００３６】
次に、リスト０１において、２曲目以降の登録が成された場合、ステップＳ２４→Ｓ２５→Ｓ２６→Ｓ２７の処理に基づいて、この２曲目以降の楽曲データのパス情報が順次登録される。そして、この場合、ステップＳ２８→Ｓ２９の処理は成されず、リスト付加情報保存装置７に保存されたリスト付加情報は変更されない。すなわち、２曲目以降の登録の際に、テーマ曲の書換は成されない。
【００３７】
以上のようにして、リスト情報保存装置６に登録されたプレイリストのリスト情報の一例を図５に示している。このように、各プレイリスト０１〜０６において、各登録された楽曲データのパス情報が、リストデータ１〜１００の順に記録されている。なお、このリストデータの最大数は、ここでは１００としているが、これ以下の数としてもよいし、あるいは、これ以上の数としてもよい。
【００３８】
次に、プレイリストに従って、楽曲データの再生を行うプレイリスト再生処理およびこの再生処理に伴うテーマ曲再生処理の流れについて図６のフローチャートに基づいて説明する。
【００３９】
プレイリストに従って再生を行う場合、ユーザが、ユーザインターフェイス装置８により再生を選択することで実行される。この場合、このリスト再生モードに入ると、ディスプレイ装置９において、図３に示したボタン９１〜９６が表示される。
【００４０】
そこで、このボタン９１〜９６によりリスト０１〜０６のいずれかが選択されると、図６のフローチャートのステップＳ６０１以降の処理が実行されることになるが、ここでリスト０１を選択したものとして説明する。
【００４１】
リスト０１が選択されると（ステップＳ６０１）、まず、プレイリストの１曲目を再生する前に、リスト付加情報保存装置７に保存されたリスト０１のリスト付加情報を取得し（ステップＳ６０２）、楽曲検索用情報保存装置４により、そのテーマ曲のパス情報の楽曲データを探し（ステップＳ６０３）、このテーマ曲の楽曲データが存在するか否かを判定する（ステップＳ６０４）。
【００４２】
ここでテーマ曲の楽曲データが存在する場合には、リスト付加情報保存装置７からテーマ曲のリスト付加情報の再生開始時間ＴＩＭＥを取得し（ステップＳ６０５）、さらに、楽曲データの再生開始時間ＴＩＭＥの時点から、指定時間（本実施例１では、１０秒）の再生を開始する。この場合、リスト０１では、テーマ曲の始点００：００から指定時間の再生が開始され、かつ、このテーマ曲の情報をディスプレイ装置９により表示する（ステップＳ６０６）。
【００４３】
ここで、ユーザは、テーマ曲を指定時間である１０秒だけ再生させずに、最後まで再生させることもできる。本実施例１では、テーマ曲再生継続の指示があるか否かを、再度リスト０１に対応するボタン９１が押されたか否かで判定し（ステップＳ６０７）、再生継続指示があった場合には、テーマ曲の再生を継続させる（ステップＳ６０８）。
【００４４】
一方、テーマ曲の楽曲データが存在しない場合（ステップＳ６０４においてＮＯ判定）は、リスト付加情報保存装置７からテーマ曲のＰＣＭデータを取得し（ステップＳ６０９）、このＰＣＭデータの再生を開始する（ステップＳ６１０）。
すなわち、テーマ曲として外部楽曲保存装置３に保存された楽曲データが選択されており、その外部楽曲保存装置３が取り外されている場合、リスト付加情報保存装置７に保存されたリスト０１の１曲目の曲は存在しないことになる。そのような場合には、リスト付加情報保存装置に保存されたその楽曲のＰＣＭデータの再生を開始する。
【００４５】
そして、テーマ曲の再生（これは楽曲データによる１０秒の再生、楽曲データによるテーマ曲の最後までの再生、およびＰＣＭデータによる１０秒の再生のいずれか）が終了したら（ステップＳ６１１）、楽曲検索用情報保存装置４により、プレイリストに登録された楽曲のうちで若い番号順に検索を開始し（ステップＳ６１２）、存在するものから再生を開始する（ステップＳ６１３→Ｓ６１４）。
以上説明したように、プレイリストに従って再生を行う場合には最初に、テーマ曲が再生され、その後、プレイリストに登録された楽曲が、順に再生される。
【００４６】
次に、テーマ曲の更新処理について説明する。
すなわち、本実施例１では、テーマ曲は、初期状態としては、そのリストを作成するときに最初に登録した楽曲データの最初の部分が保存されるが、これを、変更するテーマ曲情報書換処理を実行することができる。
【００４７】
例えば、リスト０１に設定されているプレイリストが２０曲存在し、ユーザが、このプレイリストの１０曲目の曲の開始から２分の位置に、このプレイリストの特徴を最も強く表す部分が存在すると判断した場合、この部分が再生されているときに、リスト０１に対応するボタン９１を長押し（例えば、２秒以上）すると、この時点から１０秒遡ったＰＣＭデータを、テーマ曲とすることができる。
【００４８】
このようなテーマ曲情報書換処理の流れを図７のフローチャートにより説明する。
リスト０１のプレイリストの再生中に（ステップＳ７０１）、リスト０１に対応するボタン９１が長押しされるか否か判定し（ステップＳ７０２）、長押しが成されなければ再生を継続し（ステップＳ７０３）、長押しが成された場合には、ステップＳ７０４以降のテーマ曲を書き換える処理を実行する。
【００４９】
このテーマ曲の書き換えにおいて、まず、現在再生されている楽曲データ、すなわち新たなテーマ曲のパス情報を楽曲検索用情報保存装置４から取得し（ステップＳ７０４）、次に、現在再生している楽曲データの、現時点の再生時間を１０秒遡って再生開始時間ＴＩＭＥとして取得し（ステップＳ７０５）、さらに、音情報一時保存装置１１に保存されたボタン押し操作から１０秒前までのＰＣＭデータを取得する（ステップＳ７０６）。そして、これらのデータを、リスト付加情報保存装置７に保存する（ステップＳ７０７）。
【００５０】
したがって、テーマ曲は、初期状態では、プレイリストの１曲目の頭の１０秒間であったのが、任意の曲の、任意の部分に変更される。すなわち、図４のリスト０２に示すように、再生開始時間ＴＩＭＥが０１：２４に書き換えることができる。
【００５１】
さらに、本実施例１では、テーマ曲として放送データ再生装置１０による放送の再生中の楽曲に変更する書換処理も実行可能としており、上述した処理と同様にリスト０１のテーマ曲を変更する場合について、図８のフローチャートに基づいて説明する。
放送の再生中に（ステップＳ８０１）、リスト０１に対応するボタン９１が長押しされるか否か判定し（ステップＳ８０２）、長押しが成されなければ再生を継続し（ステップＳ８０３）、長押しが成された場合には、ステップＳ８０４以降のテーマ曲を書き換える処理を実行する。
【００５２】
このテーマ曲の書き換えにおいて、まず、音情報一時保存装置１１に保存されたボタン押し操作から１０秒前までのＰＣＭデータを取得し（ステップＳ８０４）、次に、このＰＣＭデータを、リスト付加情報保存装置７に保存する（ステップＳ８０５）。
このようにして、テーマ曲が、放送再生中のＰＣＭデータに書き換えられる。
【００５３】
なお、放送再生中の楽曲については、楽曲データが保存されていないため、リスト付加情報に保存されていた前のテーマ曲のパス情報および再生開始時間ＴＩＭＥは破棄するようにしてもよい。あるいは、前テーマ曲のパス情報および再生開始時間ＴＩＭＥは、フェイルセーフ用に残し、ステップＳ６０３の処理の前に、ＰＣＭデータのソースが放送再生から得られたものであるか否かを判定し、放送再生から得られたものである場合には、ステップＳ６０９に進むようにしてもよい。
【００５４】
以上説明した、プレイリスト作成処理、プレイリスト再生処理、テーマ曲再生処理、テーマ曲情報書換処理を実行するプログラムは、車載オーディオ装置Ａの工場出荷時に入力する他に、この車載オーディオ装置Ａに接続可能な外部記憶媒体やメディア駆動装置１で駆動可能な媒体を介して入力させることができる。
【００５５】
以上説明したように、実施例１の車載オーディオ装置Ａでは、プレイリスト再生を選択したときには、最初にそのテーマ曲が再生され、その後、プレイリストに沿った楽曲データの再生が実施される。
【００５６】
したがって、ユーザは、プレイリストのリスト０１〜０６に対応したボタン９１〜９６を選択した際に、テキストデータのような文字を読むこと無しに、テーマ曲により直感的に短時間でそのプレイリストの内容を正確に理解することが可能となる。
よって、プレイリストの登録数が増えた場合でも、ユーザが、複数のプレイリストに対応する表示を目視して確認するのに比べて、プレイリストの内容を短時間に正確に把握することが可能となる。
【００５７】
しかも、本実施例１では、テーマ曲を、まず、１曲目に登録した楽曲データの頭の１０秒に自動登録される。
このように、ユーザが、特別なテーマ曲の登録操作を行うこと無しに、プレイリストに楽曲データを登録する１回のボタン操作を行うだけで、テーマ曲を設定でき、ユーザに対する操作の負荷が少なく、使い勝手に優れる。しかも、テーマ曲が、１曲目に登録した楽曲データの頭の部分であるから、ユーザにとって印象的であり、プレイリストの内容を把握しやすい。
【００５８】
さらに、本実施例１では、テーマ曲を、任意に書き換えることを可能とした。
よって、テーマ曲により、ユーザに、直感的にそのプレイリストの内容を理解させることを、より強く的確に行わせることが可能となる。
しかも、その際に、車載オーディオ装置Ａに存在していない放送再生で得られたＰＣＭデータに書き換えることも可能としたため、テーマ曲として、両楽曲保存装置２，３に保存された楽曲データのみを用いるよりも、プレイリストの内容を印象付けるテーマ曲として、より最適なテーマ曲に設定可能であり、ユーザの直感的な認識力の向上を図ることができる。
【００５９】
加えて、実施例１では、テーマ曲の情報であるリスト付加情報として、楽曲データのパス情報および再生開始時間ＴＩＭＥと、ＰＣＭデータとをリスト付加情報保存装置１１に保存するようにした。
【００６０】
このため、テーマ曲として設定された楽曲データが保存された外部楽曲保存装置３が取り外した場合には、ＰＣＭデータによりテーマ曲の再生が可能であり、一方、外部楽曲保存装置３の構成（例えば、コピーガード機能）によりＰＣＭデータを取得できない場合には、外部楽曲保存装置３が接続されていれば、その楽曲データを再生可能である。
したがって、リスト付加情報として、楽曲データのパス情報とＰＣＭデータとのいずれか一方のみを用いるものと比較して、テーマ曲が再生されない不具合を回避することができる。
また、外部楽曲保存装置３が取り外されている場合であっても、保存されたＰＣＭデータが再生されることで、高い確率で設定されたテーマ曲が再生されることで、テーマ曲が頻繁に変化するものと比較して、テーマ曲によりプレイリストの特徴提示の一意性を保持することができる。
【００６１】
しかも、実施例１では、テーマ曲を再生した際に、テーマ曲を最後まで継続させて再生することも可能とした。すなわち、ユーザが、プレイリストの最も特徴的な楽曲であると判断した楽曲が、プレイリストの１曲目の曲ではない場合でも、まず、この曲を最後まで再生することができ、よりユーザの要望に応えることが可能となる。
【００６２】
以上、図面を参照して、本発明の実施の形態の実施例１を詳述してきたが、具体的な構成は、この実施例１に限らず、本発明の要旨を逸脱しない程度の設計的変更は、本発明に含まれる。
【００６３】
すなわち、実施例１では、オーディオ装置として、車載オーディ装置を示したが、車載のものに限らず、例えば、パーソナルコンピュータや、携帯式のオーディオ装置にも適用することができる。
【００６４】
また、実施例１では、テーマ曲として、内部楽曲保存装置２および外部楽曲保存装置３に保存された楽曲データと、音情報一時保存装置１１に保存されたＰＣＭデータと、の両方を用いることを可能とした。しかし、本発明を実施する上では、少なくとも、いずれか一方のデータを用いるようにしてもよい。
【００６５】
また、上記のように、外部楽曲保存装置３の構成などによりＰＣＭデータ（音響データ）を取得できないような場合には、例えば、リスト付加情報保存装置７に保存するＰＣＭデータとして、プレイリストの１曲目の頭の１０秒間のデータを保存するなどのように、代わりのＰＣＭデータを保存するフェイルセーフの機能を持たせるようにしてもよい。
【００６６】
また、実施例１では、外部楽曲保存装置３が取り外されてテーマ曲として設定した楽曲データが存在しない場合には、ＰＣＭデータを用いるようにした。しかし、上記のように、テーマ曲として、ＰＣＭデータを保存せずに、両楽曲保存装置２，３のいずれかに保存された楽曲データを用いるようにした場合には、もし、外部楽曲保存装置３が取り外されて、テーマ曲の楽曲データが存在しない場合（例えば、ステップＳ６０４においてＮＯと判定される場合）には、プレイリストの２番目の楽曲データ、３番目の楽曲データと、プレイリストを順にあるいはアットランダムに楽曲データが存在するか否か検索し、存在する楽曲の頭の１０秒を再生するというフェイルセーフ機能を持たせるようにしてもよい。
【００６７】
また、実施例１では、保存手段として内部楽曲保存装置２と外部楽曲保存装置３とを示したが、必ずしも両者を設ける必要は無く、いずれか一方としてもよい。
【００６８】
また、実施例１では、リスト付加情報保存手段に、保存するテーマ曲の情報として、楽曲データのパス情報および再生開始時間ＴＩＭを用いる例を示したが、テーマ曲として設定された楽曲データを検索することができる情報であれば、これ以外の情報を用いるようにしてもよい。
【図面の簡単な説明】
【００６９】
【図１】本発明の実施の形態の実施例１の車載オーディオ装置Ａの構成を示すブロック図である。
【図２】本発明の実施の形態の実施例１の車載オーディオ装置Ａにおけるプレイリスト作成処理の動作の流れを示すフローチャートである。
【図３】本発明の実施の形態の実施例１の車載オーディオ装置Ａにおけるリスト選択操作部としてのボタンを示すディスプレイ装置の正面図である。
【図４】本発明の実施の形態の実施例１の車載オーディオ装置Ａにおいてリスト付加情報保存装置に保存されたリスト付加情報の一例を示す説明図である。
【図５】本発明の実施の形態の実施例１の車載オーディオ装置Ａにおけるリスト情報を示す説明図である。
【図６】本発明の実施の形態の実施例１の車載オーディオ装置Ａにおけるプレイリスト再生処理およびテーマ曲再生処理の動作の流れを示すフローチャートである。
【図７】本発明の実施の形態の実施例１の車載オーディオ装置Ａの楽曲データ再生中におけるテーマ曲情報書換処理の動作の流れを示すフローチャートである。
【図８】本発明の実施の形態の実施例１の車載オーディオ装置Ａの放送再生中におけるテーマ曲情報書換処理の動作の流れを示すフローチャートである。
【符号の説明】
【００７０】
Ａ    車載オーディオ装置
２    内部楽曲保存装置（保存手段）
３    外部楽曲保存装置（保存手段）
６    リスト情報保存装置（リスト情報保存手段）
７    リスト付加情報保存装置（テーマ曲情報保存手段）
８    ユーザインターフェイス装置（リスト選択操作部）
１１  音情報一時保存装置
１２  全体制御装置（制御手段）
【図１】
2008084401.tif 000003
【図２】
2008084401.tif 000004
【図３】
2008084401.tif 000005
【図４】
2008084401.tif 000006
【図５】
2008084401.tif 000007
【図６】
2008084401.tif 000008
【図７】
2008084401.tif 000009
【図８】
2008084401.tif 000010